(57)【要約】【解決手段】横置型デュアル動力源車両用駆動アセンブリは、２つの動力源と、自動変速機１０とを含み、自動変速機１０に第一の入力軸２１及び第二の入力軸２２が設けられ、２つの動力源がそれぞれ２本の入力軸２１，２２に連結され、第一の中間軸３１が第一の入力軸２１と平行に設けられ、第二の中間軸３２が第一の入力軸２１と同軸心方向に設けられ、第三の中間軸３３が第一の中間軸３１と同軸心方向に設けられ、第一の入力軸２１における第一のギア１１が第一の中間軸３１における第二のギア１２と噛合伝動し、第二の入力軸２２における第三のギア１３が第二の中間軸３２における第四のギア１４と噛合伝動し、第二の中間軸３２における第五のギア１５が第三の中間軸３３における第六のギア１６と噛合伝動すると同時に、第六のギア１６が差動装置５０における第七のギア１７と噛合伝動する。【選択図】  図１
2020506839.tif 000002
【特許請求の範囲】
【請求項１】
アクスルハーフシャフトに連結される横置型デュアル動力源車両用駆動アセンブリであって、
第一の動力源と、第二の動力源と、自動変速機とを含み、前記自動変速機に第一の入力軸及び第二の入力軸が設けられ、前記動力源がそれぞれ２本の入力軸に連結され、前記自動変速機と前記アクスルハーフシャフトとの連結箇所に差動装置が設けられており、
前記自動変速機において、第一の中間軸が第一の入力軸と平行に設けられ、第二の中間軸が第一の入力軸と同軸心方向に設けられ、第三の中間軸が第一の中間軸と同軸心方向に設けられ、前記第一の中間軸と前記第三の中間軸との間に第一のクラッチが設けられ、前記第一の入力軸と前記第二の中間軸との間に第二のクラッチが設けられており、
前記第一の入力軸に第一のギアが設けられ、前記第一の中間軸に第二のギアが設けられ、第一のギアが第二のギアと噛合伝動し、前記第二の入力軸に第三のギアが設けられ、前記第二の中間軸に第四のギアが設けられ、第三のギアが第四のギアと噛合伝動し、
前記第二の中間軸に第五のギアが更に設けられ、前記第三の中間軸に第六のギアが設けられ、前記差動装置に第七のギアが設けられ、第五のギアが第六のギアと噛合伝動すると同時に、第六のギアが第七のギアと噛合伝動する、
ことを特徴とする横置型デュアル動力源車両用駆動アセンブリ。
【請求項２】
前記第二の動力源が電動モータであり、第一のクラッチ及び第二のクラッチが切断されている場合、前記第二の動力源が、前記第二の入力軸、第三のギア、第四のギア、第二の中間軸、第五のギア、第六のギア、第七のギア及び差動装置を順次に介して、動力を前記アクスルハーフシャフトに伝達する、
ことを特徴とする請求項１に記載の横置型デュアル動力源車両用駆動アセンブリ。
【請求項３】
前記第一のクラッチが噛み合い、前記第二のクラッチが切断されている場合、前記第一の動力源が、前記第一の入力軸、第一のギア、第二のギア、第一の中間軸、第一のクラッチ、第三の中間軸、第六のギア、第七のギア及び差動装置を順次に介して、動力を前記アクスルハーフシャフトに伝達する、
ことを特徴とする請求項２に記載の横置型デュアル動力源車両用駆動アセンブリ。
【請求項４】
前記第一のギアと前記第二のギアとの噛合伝動比をｉ1とし、前記第六のギアと前記第七のギアとの噛合伝動比をｉ3とすると、前記第一のクラッチが噛み合い、前記第二のクラッチが切断されている場合、前記自動変速機における噛合伝動比がｉ1×ｉ3となる、
ことを特徴とする請求項３に記載の横置型デュアル動力源車両用駆動アセンブリ。
【請求項５】
前記第二のクラッチが噛み合い、前記第一のクラッチが切断されている場合、前記第一の動力源が、前記第一の入力軸、第二のクラッチ、第二の中間軸、第五のギア、第六のギア、第七のギア及び差動装置を順次に介して、動力を前記アクスルハーフシャフトに伝達する、
ことを特徴とする請求項２に記載の横置型デュアル動力源車両用駆動アセンブリ。
【請求項６】
前記第五のギア、第六のギア及び第七のギアの噛合伝動比をｉ2とすると、前記第二のクラッチが噛み合い、前記第一のクラッチが切断されている場合、前記自動変速機における噛合伝動比がｉ2となる、
ことを特徴とする請求項５に記載の横置型デュアル動力源車両用駆動アセンブリ。
【請求項７】
前記第三のギアと前記第四のギアとの噛合伝動比をｉ4とし、前記第五のギア、第六のギア及び第七のギアの噛合伝動比をｉ2とすると、前記第一のクラッチ及び前記第二のクラッチが切断されている場合、前記第二の動力源が、自動変速機を介して、ｉ4×ｉ2の噛合伝動比で動力を出力する、
ことを特徴とする請求項２に記載の横置型デュアル動力源車両用駆動アセンブリ。
【請求項８】
前記第三の中間軸に第八ギアが更に設けられており、
前記第八ギアが前記第二の中間軸における第五のギアと噛合伝動し、前記第六のギアが前記第七のギアのみと噛合伝動する、
ことを特徴とする請求項１に記載の横置型デュアル動力源車両用駆動アセンブリ。
【請求項９】
前記第一のギアと前記第二のギアとの噛合伝動比をｉ1とし、前記第六のギアと前記第七のギアとの噛合伝動比をｉ3とし、前記第三のギアと前記第四のギアとの噛合伝動比をｉ4とし、前記第五のギアと前記第八ギアとの噛合伝動比をｉ5とすると、
前記第一のクラッチが噛み合い、前記第二のクラッチが切断されている場合、前記自動変速機における噛合伝動比がｉ1×ｉ3となり、
前記第一のクラッチが切断され、前記第二のクラッチが噛み合っている場合、前記自動変速機における噛合伝動比がｉ5×ｉ3となり、
前記第一のクラッチ及び前記第二のクラッチが切断されている場合、前記第二の動力源が、自動変速機を介して、ｉ4×ｉ5×ｉ3の噛合伝動比で動力を出力する、
ことを特徴とする請求項８に記載の横置型デュアル動力源車両用駆動アセンブリ。
【請求項１０】
前記第一の動力源が、電動モータであり、又は、エンジンとＩＳＧモータとの組み合せである、
ことを特徴とする請求項１に記載の横置型デュアル動力源車両用駆動アセンブリ。
【発明の詳細な説明】
【技術分野】
【０００１】
本発明は、車両のフロントアクスル又はリアアクスルに連結され、車両を駆動するための横置型デュアル動力源車両用駆動アセンブリに関する。
【背景技術】
【０００２】
現在の純粋な電気自動車又はハイブリッドの新エネルギー自動車は、その用いられた電動モータの動力特性と車両全体の要求とに差があるので、変速比及びモーメントの要求を満たすことができない。新エネルギー自動車がますます複雑になる運転状況や道路状況に対応する必要があるので、新エネルギー自動車の快適さ及び航続距離に対するユーザの要求がますます高くなり、単純な電動モータ直接駆動モード、電動モータに減速機を接続したモード、又は、燃料−電気ハイブリッドモードの新エネルギー自動車は、新エネルギー自動車産業の発展要求を満たすことができなくなる。
【０００３】
現在の車両の動力アセンブリにおいて、動力源、クラッチ、ギアボックス又は減速機、および駆動軸は、通常縦方向に配置され、長さが比較的に大きくて、車両における占有空間も大きく、コンパクトな構造を必要とするコンパクト車両には適していない。
【０００４】
なお、現在、純粋な電気自動車又はハイブリッドの新エネルギー自動車の減速機は、ロータ軸と入力軸とが一体化しておらず、電動モータのロータ軸への衝撃が大きいため、従来の摩擦クラッチを使用することができなくなり、それに用いられたクラッチがハード接続という方式しか採用できず、緩衝機能を有しないので、新エネルギー自動車の要求を満たすことができない。
【０００５】
従来の電動モータ直接駆動モードの自動車において、動力系にはクラッチ機能がないので、従来の慣性摩擦シンクロナイザを使用することができず、変速機がシフトできず、単一の変速比しか使用できなく、車両全体の発進及び停止が電動モータの駆動、停止にしか依存できず、電動モータの性能の発揮に影響を与えてしまう。
【発明の概要】
【発明が解決しようとする課題】
【０００６】
先行技術における上記問題について、本発明は、従来の動力アセンブリが単一の変速比で伝動し複雑な道路状況や運転状況に適応できない、という問題を解決するための横置型デュアル動力源車両用駆動アセンブリを提供している。
それと同時に、従来の車両用駆動アセンブリの縦寸法が大きくてコンパクト車に使用できないこと、及び、変速機のギア数が多くて伝動構造が複雑であるという問題が解決される。
【課題を解決するための手段】
【０００７】
上記目的に達するように、本発明の技術案は、以下のように実現される。
【０００８】
本発明のアクスルハーフシャフトに連結される横置型デュアル動力源車両用駆動アセンブリは、第一の動力源と、第二の動力源と、自動変速機とを含み、前記自動変速機に第一の入力軸及び第二の入力軸が設けられ、前記動力源がそれぞれ２本の入力軸に連結され、前記自動変速機と前記アクスルハーフシャフトとの連結箇所に差動装置が設けられており、
前記自動変速機において、第一の中間軸が第一の入力軸と平行に設けられ、第二の中間軸が第一の入力軸と同軸心方向に設けられ、第三の中間軸が第一の中間軸と同軸心方向に設けられ、前記第一の中間軸と前記第三の中間軸との間に第一のクラッチが設けられ、前記第一の入力軸と前記第二の中間軸との間に第二のクラッチが設けられており、
前記第一の入力軸に第一のギアが設けられ、前記第一の中間軸に第二のギアが設けられ、第一のギアが第二のギアと噛合伝動し、前記第二の入力軸に第三のギアが設けられ、前記第二の中間軸に第四のギアが設けられ、第三のギアが第四のギアと噛合伝動し、
前記第二の中間軸に第五のギアが更に設けられ、前記第三の中間軸に第六のギアが設けられ、前記差動装置に第七のギアが設けられ、第五のギアが第六のギアと噛合伝動すると同時に、第六のギアが第七のギアと噛合伝動する。
【０００９】
さらに、前記第二の動力源が電動モータであり、第一のクラッチ及び第二のクラッチが切断されている場合、前記第二の動力源が、前記第二の入力軸、第三のギア、第四のギア、第二の中間軸、第五のギア、第六のギア、第七のギア及び差動装置を順次に介して、動力を前記アクスルハーフシャフトに伝達する。
【００１０】
また、前記第一のクラッチが噛み合い、前記第二のクラッチが切断されている場合、前記第一の動力源が、前記第一の入力軸、第一のギア、第二のギア、第一の中間軸、第一のクラッチ、第三の中間軸、第六のギア、第七のギア及び差動装置を順次に介して、動力を前記アクスルハーフシャフトに伝達してもよい。
【００１１】
また、前記第一のギアと前記第二のギアとの噛合伝動比をｉ1とし、前記第六のギアと前記第七のギアとの噛合伝動比をｉ3とすると、前記第一のクラッチが噛み合い、前記第二のクラッチが切断されている場合、前記自動変速機における噛合伝動比がｉ1×ｉ3となるようにしてもよい。
【００１２】
また、前記第二のクラッチが噛み合い、前記第一のクラッチが切断されている場合、前記第一の動力源が、前記第一の入力軸、第二のクラッチ、第二の中間軸、第五のギア、第六のギア、第七のギア及び差動装置を順次に介して、動力を前記アクスルハーフシャフトに伝達してもよい。
【００１３】
また、前記第五のギア、第六のギア及び第七のギアの噛合伝動比をｉ2とすると、前記第二のクラッチが噛み合い、前記第一のクラッチが切断されている場合、前記自動変速機における噛合伝動比がｉ2となるようにしてもよい。
【００１４】
また、前記第三のギアと前記第四のギアとの噛合伝動比をｉ4とし、前記第五のギア、第六のギア及び第七のギアの噛合伝動比をｉ2とすると、前記第一のクラッチ及び前記第二のクラッチが切断されている場合、前記第二の動力源が、自動変速機を介して、ｉ4×ｉ2の噛合伝動比で動力を出力してもよい。
【００１５】
また、前記第三の中間軸に第八ギアが更に設けられており、
前記第八ギアが前記第二の中間軸における第五のギアと噛合伝動し、前記第六のギアが前記第七のギアのみと噛合伝動してもよい。
【００１６】
また、前記第一のギアと前記第二のギアとの噛合伝動比をｉ1とし、前記第六のギアと前記第七のギアとの噛合伝動比をｉ3とし、前記第三のギアと前記第四のギアとの噛合伝動比をｉ4とし、前記第五のギアと前記第八ギアとの噛合伝動比をｉ5とすると、
前記第一のクラッチが噛み合い、前記第二のクラッチが切断されている場合、前記自動変速機における噛合伝動比がｉ1×ｉ3となり、
前記第一のクラッチが切断され、前記第二のクラッチが噛み合っている場合、前記自動変速機における噛合伝動比がｉ5×ｉ3となり、
前記第一のクラッチ及び前記第二のクラッチが切断されている場合、前記第二の動力源が、自動変速機を介して、ｉ4×ｉ5×ｉ3の噛合伝動比で動力を出力してもよい。
【００１７】
また、前記第一の動力源が、電動モータであり、又は、エンジンとＩＳＧモータとの組み合せであってもよい。
【発明の効果】
【００１８】
上記構造を用いて配置された本発明の利点は、以下の通りになる。
【００１９】
本発明による横置型デュアル動力源車両用駆動アセンブリは、車両のリアアクスルハーフシャフト又はフロントアクスルハーフシャフトに連結され、該横置型デュアル動力源車両用駆動アセンブリは、デュアル動力源による入力、３つの変速比での伝動を実現することができ、伝動方式及び動力入力方式が柔軟であり、さまざまな道路状況での車両全体の運転ニーズが満たされ、車両が重い負荷で坂を登っている場合、車両全体の駆動力を向上させ、車両全体の駆動力不足という欠陥を補うためには、デュアル動力入力、大きい変速比での伝動を選択することができ、車両全体が巡航している場合、車両全体の高速運転要求を満たし、エネルギーを節約し、車両の航続距離を向上させるためには、単一動力入力、小さい変速比での伝動を選択することができる。なお、車両の発進時に、第一の動力源と第二の動力源が共にオンされると、車両用駆動アセンブリの総駆動力を増大させ、車両の加速過程を短縮し、高速走行をより早く実現することができる。
【００２０】
ねじり振動ダンパーと端面歯クラッチとを組み合わせる設計モードでは、運動エネルギー損失を最小にすることが可能であり、従来の摩擦クラッチが電動モータのパワーショックに耐えることができないため、寿命が短すぎるという欠陥を埋めることができる。
【００２１】
本発明による横置型デュアル動力源車両用駆動アセンブリは、駆動アセンブリの縦寸法を短くして、コンパクト車に適している一方で、使用されるギアの数が少ないため、伝動構造を簡素化することができる。
【図面の簡単な説明】
【００２２】
【図１】本発明の実施例１による横置型デュアル動力源車両用駆動アセンブリの構造模式図である。
【図２】本発明の実施例２による横置型デュアル動力源車両用駆動アセンブリの構造模式図である。
【図３】本発明の実施例３による横置型デュアル動力源車両用駆動アセンブリの構造模式図である。
【発明を実施するための形態】
【００２３】
本発明の目的、技術案及び利点が更に明白になるように、以下、図面を参照して、本発明の実施形態について更に詳しく説明する。
【００２４】
［実施例１］
図１に示すように、本発明の実施例１において、アクスルハーフシャフトに連結される横置型デュアル動力源車両用駆動アセンブリが提供され、該車両用駆動アセンブリは、第一の動力源と、第二の動力源と、自動変速機１０とを含み、自動変速機１０に第一の入力軸２１及び第二の入力軸２２が設けられ、第一の動力源及び第二の動力源がそれぞれ第一の入力軸２１及び第二の入力軸２２に連結され、自動変速機１０とアクスルハーフシャフトとの連結箇所に差動装置５０が設けられている。
【００２５】
自動変速機１０において、第一の中間軸３１が第一の入力軸２１と平行に設けられ、第二の中間軸３２が第一の入力軸２１と同軸心方向に設けられ、第三の中間軸３３が第一の中間軸３１と同軸心方向に設けられている。第一の中間軸３１と第三の中間軸３３との間に第一のクラッチ４１が設けられ、第一の入力軸２１と第二の中間軸３２との間に第二のクラッチ４２が設けられている。
【００２６】
第一の入力軸２１に第一のギア１１が設けられ、第一の中間軸３１に第二のギア１２が設けられ、第一のギア１１が第二のギア１２と噛合伝動し、第二の入力軸２２に第三のギア１３が設けられ、第二の中間軸３２に第四のギア１４が設けられ、第三のギア１３が第四のギア１４と噛合伝動し、第二の中間軸３２に第五のギア１５が更に設けられ、第三の中間軸３３に第六のギア１６が設けられ、差動装置５０に第七のギア１７が設けられ、第五のギア１５が第六のギア１６と噛合伝動すると同時に、第六のギア１６が第七のギア１７と噛合伝動する。
【００２７】
この実施例１において、第一の動力源は、エンジン７０とＩＳＧモータ７１との組み合せであり、エンジン７０のアイドル損失及び汚染を低減することができる一方で、ＩＳＧモータ７１が発電機として機能し、電力を回生して、エネルギーを回収し、省エネルギー効果を実現することができる。第二の動力源は電動モータ６０である。上記構造から分かるように、本発明の実施例１による車両用駆動アセンブリの自動変速機は、従来の変速機の入力軸、中間軸及び出力軸のレイアウト方式とは異なり、車両用駆動アセンブリの縦寸法を短くして、コンパクト車に適している一方で、使用されるギアの数が少ないため、伝動過程が簡素化される。
【００２８】
上記車両用駆動アセンブリの動力伝動方式は、次の通りである。
第一のクラッチ４１が噛み合い、第二のクラッチ断４２が切断されている場合、第一の動力源が、第一の入力軸２１、第一のギア１１、第二のギア１２、第一の中間軸３１、第一のクラッチ４１、第三の中間軸３３、第六のギア１６、第七のギア１７及び差動装置５０を順次に介して、アクスルハーフシャフトに動力を伝達する。
【００２９】
第一のギア１１と第二のギア１２との噛合伝動比をｉ1とし、第六のギア１６と第七のギア１７との噛合伝動比をｉ3とすると、第一のクラッチ４１が噛み合い、第二のクラッチ４２が切断されている場合、自動変速機における噛合伝動比がｉ1×ｉ3となる。これは、運転状況一である。
【００３０】
第二のクラッチ４２が噛み合い、第一のクラッチ４１が切断されている場合、第一の動力源が、第一の入力軸２１、第二のクラッチ４２、第二の中間軸３２、第五のギア１５、第六のギア１６、第七のギア１７及び差動装置５０を順次に介して、アクスルハーフシャフトに動力を伝達する。
【００３１】
第五のギア１５、第六のギア１６及び第七のギア１７の噛合伝動比をｉ2とすると、第二のクラッチ４２が噛み合い、第一のクラッチ４１が切断されている場合、第一の動力源が、自動変速機を介して、ｉ2の噛合伝動比で動力を出力し、第六のギア１６がアイドルギヤとなる。これは、運転状況二である。
【００３２】
第二の動力源である電動モータ６０が補助動力源であり、電動モータの速度が任意に調整可能であるので、運転状況一又は運転状況二においては、第二の動力源である電動モータ６０もオンされている場合、車両全体の駆動力を向上させることができながら、自動変速機１０において、噛合伝動比が上述した結果のままである。
【００３３】
第一のクラッチ４１及び第二のクラッチ４２が切断されている場合、第二の動力源が、第二の入力軸２２、第三のギア１３、第四のギア１４、第二の中間軸３２、第五のギア１５、第六のギア１６、第七のギア１７及び差動装置５０を順次に介して、アクスルハーフシャフトに動力を伝達する。
【００３４】
第三のギア１３と第四のギア１４との噛合伝動比をｉ4とすると、第一のクラッチ４１及び第二のクラッチ４２が切断されている場合、第二の動力源が、自動変速機を介して、ｉ4×ｉ2の噛合伝動比で動力を出力する。これは、運転状況三である。
【００３５】
運転状況三にある場合、エンジン７０を補助動力源とすることができ、第一のクラッチ４１又は第二のクラッチ４２を噛み合わせると、運転状況三の場合では、より大きな駆動力を提供することが可能になり、第一のクラッチ４１及び第二のクラッチ４２が切断されている場合、第一の動力源がオンされ、第一の動力源の動力はアクスルハーフシャフトに伝達することができず、ＩＳＧモータ７１のみが発電機として機能し、電力を回生可能であり、電力がバッテリに蓄えられたり、第二の動力源の稼動に使用されたりする。
【００３６】
そのうち、伝動比ｉ1、ｉ2、ｉ3及びｉ4の大きさが、ギアの寸法や歯数を変えることで変更することができ、これにより、自動変速機１０の伝動比が変更される。本実施例において、第四のギア１４の直径が第五のギア１５よりも小さい。
上記から分かるように、本発明の実施例による駆動アセンブリでは、次のように３つの伝動比を実現することができる。
【００３７】
第一の動力源であるエンジン７０がオンされ、第一のクラッチ４１が噛み合い、第二のクラッチ４２が切断されている場合は、自動変速機１０における噛合伝動比がｉ1×ｉ3となる。このとき、第二の動力源はオンにされても、オフにされてもよい。第二の動力源がオンされれば、前記車両用駆動アセンブリの総駆動力を増大させることができ、車両の発進時に、車両の加速過程を短縮し、高速走行をより早く実現することができる。
【００３８】
第一の動力源であるエンジン７０がオンされ、第二のクラッチ４２が噛み合い、第一のクラッチ４１が切断されている場合は、自動変速機１０における噛合伝動比がｉ2となる。このとき、第二の動力源はオンにされても、オフにされてもよい。同様に、第二の動力源がオンされれば、前記車両用駆動アセンブリの総駆動力を増大させることができる。
【００３９】
第二の動力源である電動モータ６０がオンされ、第一のクラッチ４１及び第二のクラッチ４２が切断されている場合は、自動変速機１０における噛合伝動比がｉ4×ｉ2となる。このとき、第一の動力源であるエンジン７０がオンにされても、オフにされてもよい。第一の動力源がオンされれば、第一の動力源の動力はアクスルハーフシャフトに伝達することができないが、ＩＳＧモータ７１のみが発電機として機能し、電力を回生可能であり、電力がバッテリに蓄えられたり、第二の動力源の稼動に使用されたりする。
【００４０】
上記から分かるように、該車両用駆動アセンブリは、デュアル動力源による入力、３つの変速比での伝動を実現することができ、伝動形式が柔軟であり、さまざまな道路状況での車両全体の運転ニーズが満たされる。車両が重い負荷で坂を登っている場合、車両全体の駆動力を向上させ、車両全体の駆動力不足という欠陥を補うためには、デュアル動力入力、大きい変速比での伝動を選択することができる。車両全体が巡航している場合、車両全体の高速運転要求を満たし、エネルギーを節約し、車両の航続距離を向上させるためには、単一動力入力、小さい変速比での伝動を選択することができる。なお、車両の発進時に、第一の動力源と第二の動力源が共にオンされると、前記車両用駆動アセンブリの総駆動力を増大させ、車両の加速過程を短縮し、高速走行をより早く実現することができる。
【００４１】
本発明の実施例において、アクスルハーフシャフトはフロントアクスルハーフシャフト又はリアアクスルハーフシャフトであり、前記車両用駆動アセンブリがフロントアクスルハーフシャフトに連結された場合、車両が前輪駆動モードとなり、前記車両用駆動アセンブリがリアアクスルハーフシャフトに連結された場合、車両が後輪駆動モードとなる。
【００４２】
第一のクラッチ４１及び第二のクラッチ４２が端面歯クラッチであり、噛合伝動する可動ギアプレートと固定ギアプレートとを含み、可動ギアプレートに端面伝動歯又は端面歯溝が設けられ、それに応じて、固定ギアプレートに端面歯溝又は端面伝動歯が設けられている。端面歯クラッチは、摩擦クラッチと比較して、運動エネルギー損失を最大限に低減することが可能であり、従来の摩擦クラッチが電動モータのパワーショックに耐えることができないため、寿命が短すぎるという欠陥を埋めることができる。
【００４３】
端面歯クラッチの駆動方式は、電磁駆動式（電磁吸引による駆動）、流体駆動式（液圧機構による駆動）、空圧駆動式（空圧機構による駆動）、電気駆動式（電動モータによる駆動）のいずれであってもよく、可動ギアプレートが軸方向に移動して固定ギアプレートと噛み合うように駆動される。
【００４４】
第一のクラッチ４１及び第二のクラッチ４２が電磁ドグクラッチである場合、前記車両用駆動アセンブリが動力入力状態にあるとき、電磁ドグクラッチによって、動力が随時に車両全体と、瞬時に解除されたり結合されたりすることができ、動力の円滑な切換えが達成され、車両の走行安定性が向上する。
【００４５】
［実施例２］
本発明の実施例２は、実施例１に基づいて改良されたものである。本発明の実施例２は、実施例１と比べると、図２に示すように、第三の中間軸３３に第八ギア１８が設けられており、この場合、第五のギア１５が第八ギア１８と噛合伝動し、第六のギア１６が第七のギア１７のみと噛合伝動する点で異なっている。
【００４６】
第五のギア１５と第八ギア１８との噛合伝動比をｉ5とし、第六のギア１６と第七のギア１７との噛合伝動比をｉ3とすると、第一のクラッチ４１が切断され、第二のクラッチ４２が噛み合っている場合、第一の動力源が、自動変速機１０を介してｉ5×ｉ3の噛合伝動比で動力を出力する。
【００４７】
第三のギア１３と第四のギア１４との噛合伝動比をｉ4とすると、第一のクラッチ４１及び第二のクラッチ４２が切断されている場合、第二の動力源が、自動変速機１０を介してｉ4×ｉ5×ｉ3の噛合伝動比で動力を出力する。
【００４８】
この実施例２によれば、異なる伝動比を設定するのがより柔軟であり、制約がより小さくなり、大きな伝動比を選択するとギアが小径になるので、自動変速機の径方向寸法を効果的に縮小することができる。
【００４９】
本実施例において、第四のギア１４の直径が第五のギア１５よりも大きい。本発明の実施例２の他の内容は、実施例１と同じであり、ここで繰り返して説明しない。
【００５０】
［実施例３］
本発明の実施例３は、実施例１に基づいて改良されたものである。本発明の実施例３は、実施例１と比べると、図３に示すように、本発明の実施例３において、第一の動力源として、電動モータ７０が用いられている点で異なっている。本発明の実施例３の他の内容は、実施例１と同じであり、ここで繰り返して説明しない。
【００５１】
［実施例４］
本発明の実施例４において、図１又は図２に示すように、エンジン７０とＩＳＧモータ７１との間にねじり振動ダンパー７２が設けられており、ねじり振動ダンパー７２が緩衝機能を有し、エンジン７０とＩＳＧモータ７１との接合部のねじり剛性を低減することで、ねじり振動の固有振動数を低減し、ねじり振動を解消することができる。本発明の実施例４の他の内容は、実施例１と同じであり、ここで繰り返して説明しない。
【００５２】
以上は、あくまでも本発明の具体的な実施形態であり、本発明の上記開示の下で、当業者は、上記実施例に基づいて他の改良又は変形を行うことができる。当業者であれば、上記の詳しい記載は本発明の目的をより良く解釈するためのものであり、本発明の保護範囲が特許請求の範囲の保護範囲に基づくものであることが理解される。
【符号の説明】
【００５３】
１０…自動変速機、１１…第一のギア、１２…第二のギア、１３…第三のギア、１４…第四のギア、１５…第五のギア、１６…第六のギア、１７…第七のギア、１８…第八のギア、
２１…第一の入力軸、２２…第二の入力軸、
３１…第一の中間軸、３２…第二の中間軸、３３…第三の中間軸、
４１…第一のクラッチ、４２…第二のクラッチ、
５０…差動装置、
６０…電動モータ、
７０…エンジン、７１…ＩＳＧモータ、７２…ねじり振動ダンパー、
８０…アクスル。
【図１】
2020506839.tif 000003
【図２】
2020506839.tif 000004
【図３】
2020506839.tif 000005
【国際調査報告】
2020506839.tif 000006
2020506839.tif 000007
2020506839.tif 000008
2020506839.tif 000009
2020506839.tif 000010
2020506839.tif 000011